(57)【特許請求の範囲】
【請求項１】
ハウジング（１８）内の電気接点（５８）を露出しかつ前記電気接点（５８）へのアクセスを阻止するための保護装置であって、
前記ハウジング（１８）に連結されたリンケージアセンブリ（６８）であって、第１の駆動アーム（８４）および第２の駆動アーム（９６）を備えるリンケージアセンブリ（６８）と、
前記ハウジング（１８）に連結されたガイドアセンブリ（１００）であって、第１の端部（１０４）と、第２の端部（１０６）と、前記第１の端部（１０４）および前記第２の端部（１０６）を接続するガイド本体（１０８）とを備えるガイドアセンブリ（１００）と、
前記リンケージアセンブリ（６８）の前記第１の駆動アーム（８４）に連結されかつ前記ガイドアセンブリ（１００）の前記ガイド本体（１０８）に連結された第１のシャッタ（１１６）であって、前記ガイド本体（１０８）に沿って選択的に移動するように構成された第１のシャッタ（１１６）と、
前記リンケージアセンブリ（６８）の前記第２の駆動アーム（９６）に連結されかつ前記ガイドアセンブリ（１００）の前記ガイド本体（１０８）に連結された第２のシャッタ（１１８）であって、下部プレート（１３８）および上部プレート（１４０）を備え、前記下部プレート（１３８）が前記上部プレート（１４０）に連結され、前記下部プレート（１３８）および前記上部プレート（１４０）が、前記ガイド本体（１０８）に沿って、前記電気接点（５８）を露出するように構成された第１の位置（１４）および前記電気接点（５８）へのアクセスを阻止するように構成された第２の位置（１６）に選択的に移動するように構成される、第２のシャッタ（１１８）と、
を備え、
前記下部プレート（１３８）が下部フランジ（１６２）を備え、前記上部プレート（１４０）が上部フランジ（１４２）を備え、前記上部プレート（１４０）および前記下部プレート（１３８）が前記第１の位置（１４）に選択的に移動させられたときに、前記下部フランジ（１６２）が前記上部フランジ（１４２）に連結するように構成され、
前記上部プレート（１４０）の前記上部フランジ（１４２）がスロット（１５０）を備える、
保護装置。
【請求項２】
前記下部プレート（１３８）が前記上部プレート（１４０）に摺動可能に連結される、請求項１に記載の保護装置。
【請求項３】
前記下部プレート（１３８）および前記上部プレート（１４０）が前記ガイド本体（１０８）に摺動可能に連結される、請求項１または２に記載の保護装置。
【請求項４】
前記下部プレート（１３８）および前記上部プレート（１４０）が前記第２の位置（１６）にあるときに、前記下部プレート（１３８）が前記上部プレート（１４０）の下方に配置される、請求項１乃至３のいずれかに記載の保護装置。
【請求項５】
前記上部プレート（１４０）および前記下部プレート（１３８）が前記第１の位置（１４）に選択的に移動させられたときに、前記下部プレート（１３８）が前記上部プレート（１４０）と少なくとも部分的に重なるように構成される、請求項１乃至４のいずれかに記載の保護装置。
【請求項６】
前記下部プレート（１３８）および前記上部プレート（１４０）が前記第２の位置（１６）に選択的に移動させられたときに、前記下部フランジ（１６２）が前記上部フランジ（１４２）から分離するように構成される、請求項１乃至５のいずれかに記載の保護装置。
【請求項７】
前記下部プレート（１３８）の前記下部フランジ（１６２）が、前記スロット（１５０）に摺動可能に連結するように構成されたスロットピン（１７０）を備える、請求項１乃至６のいずれかに記載の保護装置。
【請求項８】
スイッチギヤ装置であって、
上部（２０）と、下部（２２）と、側壁（２４）と、前記上部（２０）および前記下部（２２）を連結する後壁（２６）とを有するハウジング（１８）であって、前記後壁（２６）が、前記後壁（２６）を貫通して画定された複数の端子開口（４０）を備える、ハウジング（１８）と、
前記ハウジング（１８）に連結されたリンケージアセンブリ（６８）であって、第１の駆動アーム（８４）および第２の駆動アーム（９６）を備えるリンケージアセンブリ（６８）と、
前記ハウジング（１８）に連結されたガイドアセンブリ（１００）であって、第１の端部（１０４）と、第２の端部（１０６）と、前記第１の端部（１０４）および前記第２の端部（１０６）を接続するガイド本体（１０８）とを備えるガイドアセンブリ（１００）と、
前記リンケージアセンブリ（６８）の前記第１の駆動アーム（８４）に連結されかつ前記ガイドアセンブリ（１００）の前記ガイド本体（１０８）に連結された第１のシャッタ（１１６）であって、前記ガイド本体（１０８）に沿って選択的に移動するように構成された第１のシャッタ（１１６）と、
前記リンケージアセンブリ（６８）の前記第２の駆動アーム（９６）に連結されかつ前記ガイドアセンブリ（１００）の前記ガイド本体（１０８）に連結された第２のシャッタ（１１８）であって、下部プレート（１３８）および上部プレート（１４０）を備え、前記下部プレート（１３８）が前記上部プレート（１４０）に連結され、前記下部プレート（１３８）および前記上部プレート（１４０）が、前記ガイド本体（１０８）に沿って、電気接点（５８）を露出するように構成された第１の位置（１４）および前記電気接点（５８）へのアクセスを阻止するように構成された第２の位置（１６）に選択的に移動するように構成される、第２のシャッタ（１１８）と、
を備え、
前記上部プレート（１４０）がスロット（１５０）を備え、前記下部プレート（１３８）が、前記スロット（１５０）に摺動可能に連結するように構成されたスロットピン（１７０）を具備する、
スイッチギヤ装置。
【請求項９】
前記上部プレート（１４０）と前記下部プレート（１３８）の少なくとも一方が、前記第１のシャッタ（１１６）の高さより低い高さを有する、請求項８に記載のスイッチギヤ装置。
【請求項１０】
前記上部プレート（１４０）および前記下部プレート（１３８）が実質的に同じ高さである、請求項８または９に記載のスイッチギヤ装置。
【請求項１１】
前記下部プレート（１３８）および前記上部プレート（１４０）が前記第１の位置（１４）に選択的に移動させられたときに、前記下部プレート（１３８）が前記上部プレート（１４０）と少なくとも部分的に重なるように構成される、請求項８乃至１０のいずれかに記載のスイッチギヤ装置。
【請求項１２】
前記スロットピン（１７０）が前記リンケージアセンブリ（６８）に連結される、請求項８乃至１１のいずれかに記載のスイッチギヤ装置。
【発明の詳細な説明】
【技術分野】
【０００１】
本明細書に記載されている諸実施形態は、一般にスイッチギヤハウジング（ｓｗｉｔｃｈｇｅａｒ  ｈｏｕｓｉｎｇ）用のシャッタ装置（ｓｈｕｔｔｅｒ  ｄｅｖｉｃｅ）に関し、より詳細には、スイッチギヤハウジング内の電圧線端子へのアクセスをオーバーラップ保護シャッタ装置によって阻止するために使用される方法および装置に関する。
【背景技術】
【０００２】
引出形のスイッチギヤハウジングの既知の構造では、回路遮断器の可動電気接点は絶縁ブッシング内に取り付けられる。絶縁ブッシングは、絶縁チューブ内に配置された固定電気接点と係合するように、関連するスイッチギヤハウジングの端子開口内に取り付けられた絶縁チューブの中に延びる。スイッチギヤハウジングに入る運転保守要員を保護するために、既知のシャッタは、回路遮断器が通常運転位置から除去されたときに絶縁チューブの開口部を閉鎖するために使用される。
【０００３】
従来のシャッタは、回路遮断器がスイッチギヤハウジングの内外へ移動することによって作動する。回路遮断器がハウジング内へ移動すると、既知のシャッタは、固定電気接点の上方か下方のどちらかの位置に移動して固定電気接点を露出する。回路遮断器がスイッチギヤとの接続を切り離すようにハウジングの外へ移動すると、既知のシャッタはスイッチギヤの電気接点へのアクセスを阻止するように移動する。しかしながら、従来のシャッタは、多段の小型スイッチギヤ構成向けの大きさには作られない。
【先行技術文献】
【特許文献】
【０００４】
【特許文献１】中国特許出願公開第１０１７８９５６７号明細書
【発明の概要】
【０００５】
一態様では、スイッチギヤの電気接点を露出しかつスイッチギヤの電気接点へのアクセスを阻止するための保護シャッタ装置が提供される。保護シャッタ装置はハウジングに連結されたリンケージアセンブリ（ｌｉｎｋａｇｅ  ａｓｓｅｍｂｌｙ）を具備し、リンケージアセンブリは第１の駆動アームおよび第２の駆動アームを具備する。ガイドアセンブリがハウジングに連結され、ガイドアセンブリは、第１の端部と、第２の端部と、第１の端部および第２の端部を接続するガイド本体とを具備する。保護シャッタ装置は、リンケージアセンブリの第１の駆動アームおよびガイドアセンブリのガイド本体に連結された第１のシャッタをさらに具備する。第１のシャッタは、ガイド本体に沿って選択的に移動するように構成される。第２のシャッタが、リンケージアセンブリの第２の駆動アームおよびガイドアセンブリのガイド本体に連結され、第２のシャッタは下部プレートおよび上部プレートを具備する。下部プレートは上部プレートに連結され、下部プレートおよび上部プレートは、ガイド本体に沿って、電気接点を露出するように構成された第１の位置および電気接点へのアクセスを阻止するように構成された第２の位置に選択的に移動するように構成される。
【０００６】
別の態様では、スイッチギヤの電気接点を露出しかつスイッチギヤの電気接点へのアクセスを阻止するためのスイッチギヤ装置が提供される。スイッチギヤ装置は、上部と、下部と、側壁と、上部および下部を互いに接続する後壁とを有するハウジングを具備する。後壁は、後壁を貫通して画定された複数の端子開口を具備する。リンケージアセンブリがハウジングに連結するように構成され、リンケージアセンブリは第１の駆動アームおよび第２の駆動アームを具備する。ガイドアセンブリがハウジングに連結され、ガイドアセンブリは、第１の端部と、第２の端部と、第１の端部および第２の端部を接続するガイド本体とを具備する。スイッチギヤ装置は、リンケージアセンブリの第１の駆動アームおよびガイドアセンブリのガイド本体に連結された第１のシャッタをさらに具備する。第１のシャッタは、ガイド本体に沿って選択的に移動するように構成される。第２のシャッタが、リンケージアセンブリの第２の駆動アームおよびガイドアセンブリのガイド本体に連結され、第２のシャッタは下部プレートおよび上部プレートを具備する。下部プレートは上部プレートに連結され、下部プレートおよび上部プレートは、ガイド本体に沿って、電気接点を露出するように構成された第１の位置および電気接点へのアクセスを阻止するように構成された第２の位置に選択的に移動するように構成される。
【図面の簡単な説明】
【０００７】
【図１】スイッチギヤおよびスイッチギヤに連結された例示的なシャッタアセンブリの正面図であり、シャッタアセンブリは第１の位置に配置されている。
【図２】スイッチギヤおよびスイッチギヤに連結された図１に示されているシャッタアセンブリの別の正面図であり、シャッタアセンブリは第２の位置に配置されている。
【図３】図１に示されているスイッチギヤに隣接して配置された回路遮断器の側面図である。
【図４】スイッチギヤの斜視図であり、シャッタアセンブリは第２の位置で示されている。
【図５】スイッチギヤおよび第１の位置で示されているシャッタアセンブリの別の斜視図である。
【図６】図４および図５に示されているシャッタアセンブリの第１のシャッタの正面部分図である。
【図７】図４および図５に示されているシャッタアセンブリの第２のシャッタの正面図である。
【図８】第１の位置で示されている別の例示的なシャッタアセンブリの概略図である。
【図９】図８に示されておりかつ第２の位置で示されているシャッタアセンブリの別の概略図である。
【図１０】図１に示されているスイッチギヤへのアクセスを制御する方法を示す例示的な流れ図である。
【発明を実施するための形態】
【０００８】
図１は、スイッチギヤ１０および例示的なシャッタアセンブリ１２の正面図を示しており、シャッタアセンブリ１２は第１の位置１４に配置されている。シャッタアセンブリ１２は、スイッチギヤ１０の運転状態を表す第１の位置１４で示されている。図２は、スイッチギヤ１０およびスイッチギヤ１０に連結されたシャッタアセンブリ１２を示しており、シャッタアセンブリ１２は第２の位置１６に配置されている。シャッタアセンブリ１２は、スイッチギヤ１０の非運転状態を表す第２の位置１６で示されている。
【０００９】
スイッチギヤ１０は、上部２０と、下部２２と、上部２０および下部２２を接続する対向側壁２４とを有するハウジング１８を具備する。ハウジング１８は、上部２０、下部２２および側壁２４に連結された後壁２６をさらに具備する。ハウジング１８は、ハウジング１８内に空洞２８を画定している。後壁２６は、空洞２８に面するように配置された内側３０を具備する。
【００１０】
各側壁２４は、上端部３２と、下端部３４と、上端部３２および下端部３４を接続する側面３６とを具備する。上端部３２と下端部３４との間で測定される側壁２４の高さは、９５０ｍｍ（約３７インチ）以下である。一実施形態では、この高さは、約２５０ｍｍ（約１０インチ）〜約７５０ｍｍ（約３０インチ）の範囲内である。側壁２４相互間で測定される、ハウジング１８の上部２０および下部２２の幅は、９５０ｍｍ以下である。一実施形態では、ハウジング１８の上部２０および下部２２の幅は、約２５０ｍｍ〜約７５０ｍｍの範囲内である。ハウジング１８の上部２０、下部２２および側壁２４のサイジングにより、単一の既知のスイッチギヤハウジング（図示せず）によって使用される空間と実質的に同じ空間中に複数のハウジング１８を段積みするのが容易になる。例示的な実施形態では、上部２０、下部２２および側壁２４は、単一の従来のスイッチギヤ（図示せず）によって使用される空間中に１対のハウジング１８でなる段積み構成３８を形成するようにサイズおよび形状を定められる。
【００１１】
後壁２６は、内側３０を貫通して画定された少なくとも１つの端子開口４０を具備する。この例示的な実施形態では、後壁２６は、１対の実質的に水平な端子開口４０の列Ｒ１、Ｒ２を具備し、各列Ｒ１、Ｒ２は複数の端子開口４０を有する。端子開口４０の列Ｒ１、Ｒ２は共通の垂直面内で互いに離間され、端子開口４０は互いに横方向に離間される。任意の数の列および端子開口４０がスイッチギヤ１０の運転に使用されうる。
【００１２】
図３は、スイッチギヤ１０（図１に示されている）に隣接して配置された回路遮断器４２の側面図を示す。回路遮断器４２は、前側４６と後側４８と前側４６および後側４８を連結する側壁５０とを有するハウジング４４を具備する。側壁５０は車輪５２を具備し、車輪５２は、力（図示せず）が作用されると回路遮断器４２を空洞２８の内外に移動させるように構成される。回路遮断器４２は、少なくとも１対の実質的に水平な絶縁ブッシング５４を具備しており、各対のブッシング５４は共通垂直面内で互いに離間され、異なる対のブッシング５４は互いに横方向に離間される。各ブッシング５４内には電気接点５６が配置される。ブッシング５４は、回路遮断器４２の電気接点５６をスイッチギヤ１０の固定電気接点５８に連結するのを容易にするようにサイズおよび形状を定められる。
【００１３】
各端子開口４０は、絶縁チューブ６０を支持するのを容易にするようにサイズ、形状および向きを定められる。固定電気接点５８は、それぞれの端子開口４０内に取り付けられた各絶縁チューブ６０の内部に配置される。固定電気接点５８はそれぞれ、絶縁チューブ６０によって電気的に絶縁された電力導体６２に電気的に接続される。
【００１４】
図４は、スイッチギヤ１０の斜視図を示しており、シャッタアセンブリ１２は第２の位置１６で示されている。図５は、スイッチギヤ１０および第１の位置１４で示されているシャッタアセンブリ１２の別の斜視図を示す。一実施形態では、第１の位置１４は、露出した端子開口４０へのアクセスを可能にするために、少なくとも１つの端子開口４０を露出するように構成される。さらに、一実施形態では、第２の位置１６は、少なくとも１つの端子開口４０に覆いをして覆いのある端子開口４０へのアクセスを阻止するように構成される。本明細書に記載されている第１の位置１４では、シャッタアセンブリ１２は、回路遮断器４２をスイッチギヤ１０に連結してスイッチギヤ１０を作動状態にするのを可能にするように構成される。本明細書に記載されている第２の位置１６では、シャッタアセンブリ１２は、回路遮断器４２をスイッチギヤ１０に連結するのを阻止するように構成される。
【００１５】
スイッチギヤ１０は、ハウジング１８の下部２２に近接する場所に、各側壁２４に連結されたトラックアセンブリ６４をさらに具備する。トラックアセンブリ６４は、各側壁２４に沿って配置されたトラックまたはレール６６を具備する。トラックアセンブリ６４は、回路遮断器４２をハウジング空洞２８の内外に往復移動させるのを容易にするように回路遮断器４２の車輪５２に連結する。
【００１６】
スイッチギヤ１０は、各側壁２４に連結されたリンケージアセンブリ６８も具備する。リンケージアセンブリ６８は、スイッチギヤ１０の運転状態時にシャッタアセンブリ１２を操作するのを容易にするように構成される。リンケージアセンブリ６８は、第１のブラケットアセンブリ７０、第２のブラケットアセンブリ７２、アクチュエータ部材７４および偏倚部材（ｂｉａｓ  ｍｅｍｂｅｒ）７６を具備する。アクチュエータ部材７４は、第１のブラケットアセンブリ７０および第２のブラケットアセンブリ７２に連結する。アクチュエータ部材７４は、本明細書に記載されているように、レール６６に沿って移動する回路遮断器４２の直線運動を第１のブラケットアセンブリ７０および第２のブラケットアセンブリ７２に与えられる回転運動に変換するように構成される。偏倚部材７６は、回路遮断器４２がアクチュエータ部材７４に加えられる力を除去したときにアクチュエータ部材７４を移動させるように構成される。本明細書に記載されているように、任意のリンケージアセンブリが直線運動を回転運動に変換するために使用されうる。
【００１７】
第１のブラケットアセンブリ７０は、アクチュエータ部材７４に連結されたリンケージアーム７８を具備する。第１のブラケットアセンブリ７０は、リンケージアーム７８に連結されたピボットアーム８０をさらに具備する。第１の駆動アーム８４が、ピボットアーム８０にピボットピン８２を中心に枢動可能に連結する。第１の駆動アーム８４は、駆動ピン８８を有する端部８６を具備する。
【００１８】
第２のブラケットアセンブリ７２は、アクチュエータ部材７４に連結されたリンケージアーム９０を具備する。第２のブラケットアセンブリ７２は、リンケージアーム９０に連結されたピボットアーム９２をさらに具備する。第２の駆動アーム９６が、ピボットアーム９２にピボットピン９４を中心に枢動可能に連結する。第２の駆動アーム９６は、ピン開口９８を有する端部９７を具備する。
【００１９】
スイッチギヤ１０は、後壁２６に連結されたガイドアセンブリ１００をさらに具備する。ガイドアセンブリ１００は、第１の端部１０４と、第２の端部１０６と、第１の端部１０４および第２の端部１０６を接続するガイド本体１０８とを有するガイド部材１０２を具備する。ガイド部材１０２を後壁２６に取り付けるために、複数の支持体１１０が構成される。各支持体１１０は、ガイド本体１０８の一部を取り囲むようにサイズおよび形状を定められた支持開口１１２を具備する。例示的な一実施形態では、支持体１１０は、第１の端部１０４をハウジング下部２２の近傍に配置しかつ第２の端部１０６をハウジング上部２０の近傍に配置するのを容易にするために、ガイド部材１０２を後壁２６上にハウジング側壁２４に実質的に隣接して取り付ける。支持体１１０は、ガイド本体１０８を後壁２６に取り付けるのを容易にする任意の構成を含むことができる。
【００２０】
シャッタアセンブリ１２は、リンケージアセンブリ６８およびガイドアセンブリ１００と連結するように構成される。シャッタアセンブリ１２は、第１の位置１４と第２の位置１６との間を往復移動するように構成される。第１の位置１４では、シャッタアセンブリ１２は、回路遮断器４２（図３）をスイッチギヤ１０の電気接点５８（図３）に連結するのを容易にする。第２の位置１６にある間、シャッタアセンブリ１２は、スイッチギヤ１０の電気接点５８へのアクセスを阻止する。
【００２１】
シャッタアセンブリ１２は、第１のシャッタ１１６および第２のシャッタ１１８を具備する。第１のシャッタ１１６は、第２の位置１６で少なくとも端子開口４０の列Ｒ１へのアクセスを阻止し、第１の位置１４で少なくとも端子開口４０の列Ｒ１へのアクセスを可能にするように構成される。第１のシャッタ１１６は、ハウジング１８の空洞２８に面する前側１２２を有しかつ後壁２６に面する後側（図示せず）を有するプレート１２０を具備する。プレート１２０は、少なくとも後壁２６の列Ｒ１の電気端子開口４０へのアクセスを実質的に阻止するサイズおよび形状を有する。
【００２２】
図６は、図４および図５に示されているシャッタアセンブリ１２の第１のシャッタ１１６の正面部分図を示す。第１のシャッタ１１６は、前側１２２に連結されかつ前側１２２からハウジング１８の空洞２８に向かって外方に延びるフランジ１２６をさらに具備する。フランジ１２６は、第１の端部１２８と、第２の端部１３０と、第１の端部１２８および第２の端部１３０を接続する側壁１３２とを具備する。第１の端部１２８および第２の端部１３０は、第１の端部１２８および第２の端部１３０を貫通して画定されたガイド開口１３４を具備する。ガイド開口１３４は、ガイドアセンブリ１００のガイド本体１０８の各部分１１４を摺動可能に取り囲むようにサイズおよび形状を定められる。フランジ側壁１３２は、フランジ側壁１３２を貫通して画定されたピン開口１３６をさらに具備する。ピン開口１３６は、第１のブラケットアセンブリ７０用の第１の駆動アーム８４の駆動ピン８８を受容しかつその駆動ピン８８に連結するようにサイズおよび形状を定められる。
【００２３】
本明細書に記載されている第２の位置１６では、リンケージアセンブリ６８は、第１のシャッタ１１６を移動させて列Ｒ１に配置された端子開口４０を覆うように構成される。第２の位置１６では、第１のシャッタ１１６は、列Ｒ１の端子開口４０へのアクセスを阻止するのを容易にするように構成される。本明細書に記載されている第１の位置１４では、リンケージアセンブリ６８は、第１のシャッタ１１６を列Ｒ１の端子開口４０から離れる向きに移動させて端子開口４０を露出するように構成される。第１の位置１４では、第１のシャッタ１１６は、列Ｒ１の端子開口４０へのアクセスを可能にするのを容易にするように構成される。
【００２４】
図７は、図４および図５に示されているシャッタアセンブリ１２の第２のシャッタ１１８の正面図である。第２のシャッタ１１８は、リンケージアセンブリ６８（図４に示されている）およびガイドアセンブリ１００に連結する。第２のシャッタ１１８は、第２の位置１６で少なくとも端子開口４０の列Ｒ２へのアクセスを阻止し、第１の位置１４で端子開口４０の列Ｒ２へのアクセスを可能にするように構成される。第２のシャッタ１１８は、下部プレート１３８および上部プレート１４０を具備する。下部プレート１３８は、本明細書に記載されているように、上部プレート１４０に重なりかつ上部プレート１４０を往復移動させるように構成される。
【００２５】
上部プレート１４０は、ハウジング１８の空洞２８に面する前側１４１および後壁２６に面する後側（図示せず）を有する。上部プレート１４０は、前側１４１に連結されかつハウジング空洞２８に向かって外方に延びる上部フランジ１４２を具備する。上部フランジ１４２は、第１の端部１４４と、第２の端部１４６と、第１の端部１４４および第２の端部１４６を接続する側壁１４８とを具備する。第１の端部１４４および第２の端部１４６は、第１の端部１４４および第２の端部１４６を貫通して画定されたガイド開口１３４を具備する。ガイド開口１３４は、ガイド本体１０８の各部分１１４を摺動可能に取り囲むようにサイズおよび形状を定められる。
【００２６】
上部フランジ１４２の側壁１４８は、上部フランジ１４２の軸線１５２に沿って縦方向に配置されたスロット１５０を具備する。スロット１５０は、第１の端部１４４と第２の端部１４６との間に配置される。上部フランジ１４２は、ハウジング１８の側壁２４から外方にかつハウジング１８の側壁２４に向かって延びる支持アーム１５４をさらに具備する。第２の位置１６では、支持アーム１５４は、側壁２４に連結された支持体１１０と接触しかつその支持体１１０の上に載るように構成される。支持体１１０は、第２の位置１６で、上部プレート１４０をガイド本体１０８に沿って保持しかつ吊すように構成される。上部プレート１４０は、後壁２６の列Ｒ２の端子開口４０の少なくとも半分を実質的に覆うようにサイズおよび形状を有する。一実施形態では、上部プレート１４０は、列Ｒ２の端子開口４０の少なくとも上方部分を覆うようにサイズおよび形状を定められる。例示的な実施形態では、上部プレート１４０は、列Ｒ２の端子開口４０の少なくとも上方部分へのアクセスを阻止するようにサイズおよび形状を定められる。
【００２７】
下部プレート１３８は、ハウジング空洞２８に面する前側１５６および後壁２６に面する後側（図示せず）を有する。下部プレート１３８は、第１の位置１４で上部プレート１４０と重なりかつ上部プレート１４０を移動させるように構成される。下部プレート１３８は、前側１５６に連結されかつハウジング空洞２８に向かって外方に延びる下部フランジ１６２を具備する。下部フランジ１６２は、第１の端部１６４と、第２の端部１６６と、第１の端部１６４および第２の端部１６６を接続する側壁１６８とを具備する。第１の端部１６４および第２の端部１６６は、第１の端部１６４および第２の端部１６６を貫通して画定されたガイド開口１３４を具備する。ガイド開口１３４は、ガイド本体１０８の各部分１１４を摺動可能に取り囲むようにサイズおよび形状を定められる。
【００２８】
下部フランジ１６２の側壁１６８は、側壁１６８から外方にかつハウジング１８の側壁２４に向かって延びるスロットピン１７０を具備する。締結体（図示せず）が、スロットピン１７０を下部フランジ１６２に固着する。例示的な一実施形態では、締結体はクリップを具備する。スロットピン１７０を下部フランジ１６２に固着する任意の締結体が本明細書に記載されているように使用されうる。スロットピン１７０は、第２のブラケットアセンブリ７２の第２の駆動アーム９６（図４に示されている）に連結する。スロットピン１７０は、上部プレート１４０のスロット１５０を貫通して延びるのを容易にするようにサイズおよび形状を定められ、第２の位置１６で上部プレート１４０の上部フランジ１４２の上に載る。下部プレート１３８は、後壁２６の列Ｒ２の電気端子開口４０の少なくとも半分を実質的に覆うようにサイズおよび形状を有する。例示的な一実施形態では、下部プレート１３８は、列Ｒ２の端子開口４０の少なくとも下方部分を覆うようにサイズおよび形状を定められる。この例示的な実施形態では、下部プレート１３８は、列Ｒ２の端子開口４０の少なくとも下方部分へのアクセスを阻止するようにサイズおよび形状を定められる。
【００２９】
本明細書に記載されている第２の位置１６では、リンケージアセンブリ６８は、第２のシャッタ１１８を移動させて列Ｒ２に配置された端子開口４０を覆うように構成される。第２の位置１６では、第２のシャッタ１１８は、列Ｒ２の端子開口４０へのアクセスを阻止するのを容易にするように構成される。本明細書に記載されている第１の位置１４では、リンケージアセンブリ６８は、第２のシャッタ１１８を列Ｒ２の端子開口４０から離れる向きに移動させて端子開口４０を露出するように構成される。第１の位置１４では、第２のシャッタ１１８は、列Ｒ２の端子開口４０へのアクセスを可能にするのを容易にするように構成される。例示的な実施形態では、下部プレート１３８は、第１の位置１４で上部プレート１４０と実質的に重なるように構成される。
【００３０】
下部プレート１３８は、上部プレート１４０と重なり上部プレート１４０と共にガイド本体１０８に沿って移動するのを容易にするようにサイズ、形状および向きを定められるので、列Ｒ２の端子開口４０の上方に下部プレート１３８および上部プレート１４０を第１の位置１４に配置する空間は小さくて済む。例示的な実施形態では、下部プレート１３８および上部プレート１４０のオーバーラップ構成（ｏｖｅｒｌａｐ  ｃｏｎｆｉｇｕｒａｔｉｏｎ）により、列Ｒ２の端子開口４０の上方の後壁２６の空間は、列Ｒ１の端子開口４０の下方にある後壁２６の空間に比べて約半分に減少する。したがって、ハウジング１８のサイズは、小型の多段／段積みスイッチギヤ構成３８（図１に示されている）を容易にするように縮小される。
【００３１】
スイッチギヤ１０の例示的な一実施形態では、回路遮断器４２はハウジング空洞２８の中に移動される。回路遮断器４２の車輪５２は、回路遮断器４２をレール６６上で移動させるのを容易にして、回路遮断器４２の前側４６がリンケージアセンブリ６８のアクチュエータ部材７４に接触するのを容易にする。アクチュエータ部材７４は、第１のブラケットアセンブリ７０のリンケージアーム７８を移動させるのを容易にするように構成される。第１のブラケットアセンブリ７０のリンケージアーム７８は、移動に応答して、ピボットピン８２を中心に第１の駆動アーム８４を回転させる。例示的な実施形態では、リンケージアーム７８は、下方に回転して第１の駆動アーム８４を下方に移動させる。
【００３２】
第１の駆動アーム８４は、駆動ピン８８を介して第１のシャッタプレート１２０に連結されており、第１のシャッタプレート１２０をガイド本体１０８に沿って下方にかつ列Ｒ１の端子開口４０から離れる向きに摺動させるように構成される。駆動ピン８８は、第１のシャッタプレート１２０をハウジング下部２２の近傍に移動させて、第１の位置１４で列Ｒ１の端子開口４０を露出する。第１の駆動アーム８４および第１のシャッタプレート１２０のサイズは、第１のシャッタプレート１２０をハウジング１８の下部２２と列Ｒ１の端子開口４０との間に位置付ける。第１の位置１４では、回路遮断器４２の電気接点５６は、絶縁チューブ６０内の電気接点５８に露出される。回路遮断器４２は、スイッチギヤ１０の電気接点５８に向かって移動してスイッチギヤ１０の運転状態時に電気接点５８に連結し続ける。
【００３３】
回路遮断器４２がハウジング１８内へ移動する間、アクチュエータアーム７４は、第２のブラケットアセンブリ７２のリンケージアーム９０を移動させるのを容易にするように構成される。リンケージアーム９０は、移動に応答して、ピボットピン９４を中心に第２の駆動アーム９６を回転させる。例示的な実施形態では、リンケージアーム９０は、上方に回転して第２の駆動アーム９６を上方に移動させる。第２の駆動アーム９６は、スロットピン１７０において第２のシャッタ１１８に連結されており、下部プレート１３８をガイド本体１０８に沿って上方にかつ列Ｒ２の端子開口４０から離れる向きに摺動させる。
【００３４】
第２の駆動アーム９６は、スロットピン１７０を上部プレート１４０の上部フランジ１４２のスロット１５０内でさらに移動させる。スロットピン１７０がスロット１５０内を移動すると、下部プレート１３８は上方に移動し上部プレート１４０と実質的に重なるように構成される。加えて、下部プレート１３８が上部プレート１４０と実質的に重なると、下部プレート１３８上の下部フランジ１６２は上部プレート１４０の上部フランジ１４２と接触する。第２の駆動アーム９６は、下部プレート１３８を移動させ続けて、上部プレート１４０の上部フランジ１４２を支持体１１０から持ち上げるのを容易にする。第２の駆動アーム９６は、下部プレート１３８を移動させて上部プレート１４０と少なくとも部分的に重なり、下部プレート１３８および上部プレート１４０を端子開口４０の向こうに移動させる。
【００３５】
第２の駆動アーム９６は、端子開口４０を露出するために、上部プレート１４０および下部プレート１３８を端子開口４０の上方にありかつハウジング１８の上部２０の下方にあるオーバーラップ位置に位置付けるようにサイズを定められる。第１の位置１４では、回路遮断器４２の上部電気接点５６は、絶縁チューブ６０内の電気接点５８に露出される。回路遮断器４２は、スイッチギヤ１０の電気接点５８に向かって移動してスイッチギヤ１０の運転状態時に電気接点５８に連結し続ける。
【００３６】
スイッチギヤ１０の例示的な非作動状態では、回路遮断器４２は、レール６６に沿って電気接点５８から切り離されそして遠ざけられて、回路遮断器４２の電気接点５６をスイッチギヤ１０の電気接点５８から切り離す。回路遮断器４２が後壁２６から離れると、回路遮断器４２は、リンケージアセンブリ６８のアクチュエータアーム７４に加えられる圧力を除去する。偏倚部材７６は、アクチュエータアーム７４に圧力をかけてアクチュエータアーム７４を後壁２６から離すのを容易にし、それによってリンケージアセンブリ６８の逆作動を容易にするように構成される。アクチュエータアーム７４は、ピボットピン８２を中心に第１のブラケットアセンブリ７０のリンケージアーム７８を上方に回転させ、それによって第１の駆動アーム８４を上方に移動させる。第１のシャッタ１１６のプレート１２０は、ガイド本体１０８に沿ってかつ列Ｒ１の端子開口４０の前で上方に摺動するように構成される。第２の位置１６では、プレート１２０は、電気接点５８へのアクセスを阻止するのを容易にして、電気接点５８への曝露および／またはスイッチギヤ１０の電気接点５８からのアーク放電を最小限に抑えるかまたはなくすのを容易にする。
【００３７】
回路遮断器４２が電気接点５８から切り離され遠ざけられるときに、アクチュエータアーム７４は、ピボットピン９４を中心に第２のブラケットアセンブリ７２のリンケージアーム９０を下方にさらに回転させ、それによって第２の駆動アーム９６を下方に移動させる。第２の駆動アーム９６は、スロットピン１７０を介して、下部プレート１３８をガイド本体１０８に沿って下方に摺動させる。スロットピン１７０は、上部プレート１４０のスロット１５０内を下方に移動する。上部プレート１４０の上部フランジ１４２が第１の位置１４で下部プレート１３８の下部フランジ１６２上に載っているので、上部プレート１４０は、上部プレート１４０の上部フランジ１４２が側壁２４に連結された支持体１１０に接触するまで下部プレート１３８と共に下方に移動する。支持体１１０は、列Ｒ２の端子開口４０を少なくとも部分的に覆う位置で支持アーム１５４に接触して上部プレート１４０を止めかつ支持する。例示的な一実施形態では、上部プレート１４０は、列Ｒ２の端子開口４０の少なくとも上方部分を実質的に覆う。この例示的な実施形態では、上部プレート１４０は、少なくとも列Ｒ２の端子開口４０へのアクセスを阻止するように構成される。
【００３８】
支持体１１０が上部プレート１４０を吊して列Ｒ１の端子開口４０を少なくとも部分的に覆っている間、第２の駆動アーム９６は、スロットピン１７０と連結することにより下部プレート１３８まで回転し続ける。スロットピン１７０は、上部プレート１４０の上部フランジ１４２のスロット１５０内を下方に移動して、列Ｒ２の端子開口４０を少なくとも部分的に覆う位置で下部プレート１３８を移動させるのを容易にする。スロットピン１７０は、第２の位置１６でスロット１５０の下部の上に載って下部プレート１３８を吊す。一実施形態では、下部プレート１３８は、列Ｒ２の端子開口４０の下方部分を実質的に覆う。例示的な実施形態では、下部プレート１３８は、少なくとも列Ｒ２の端子開口４０へのアクセスを阻止するように構成される。
【００３９】
図８は、第１の位置１４で示されている別の例示的なシャッタアセンブリ１７２の概略図を示す。図９は、第２の位置１６で示されているシャッタアセンブリ１７２の別の概略図を示す。シャッタアセンブリ１７２は、第１のシャッタ１７４および第２のシャッタ１７６を具備する。第１のシャッタ１７４は、下部プレート１７８および上部プレート１８０を具備する。第２のシャッタ１７６は、下部プレート１８２および上部プレート１８４を具備する。
【００４０】
第１のブラケットアセンブリ７０の第１の駆動アーム８４（図２に示されている）は、下部プレート１７８および下部プレート１８２に連結するように構成される。第２のブラケットアセンブリ７２の第２の駆動アーム９６（図２に示されている）は、上部プレート１８０および上部プレート１８４に連結するように構成される。スイッチギヤ１０の運転状態時、第１の駆動アーム８４は下部プレート１７８、１８２を第１の位置１４に移動させ、第２の駆動アーム９６は上部プレート１８０、１８４を第１の位置１４に移動させる。第１の位置１４では、第２のシャッタ１７６の下部プレート１８２は、第１のシャッタ１７４の上部プレート１８０と重なるように構成される。第１のシャッタ１７４および第２のシャッタ１７６の第１の位置１４までの走行距離はプレート１８０、１８２が重なり合うことにより短縮されて、スイッチギヤハウジング（図示せず）のサイズを縮小するのを容易にする。
【００４１】
図１０は、運転状態時および非運転状態時にスイッチギヤ、例えばスイッチギヤ１０（図１に示されている）へのアクセスを制御する方法１０１０を示す例示的な流れ図１０００である。方法１０１０は、回路遮断器、例えば回路遮断器４２（図３に示されている）を受容すること１０１２、および、リンケージアセンブリ、例えばリンケージアセンブリ６８（図４に示されている）を移動させること１０１４を含む。リンケージアセンブリは、シャッタアセンブリ１２（図４に示されている）などのシャッタアセンブリを第１の位置、例えば第１の位置１４（図６に示されている）に移動させる１０１６。第１の位置１４では、スイッチギヤの電気接点が回路遮断器に連結するために露出される。例示的な一実施形態では、シャッタアセンブリを移動させることは、下部プレート、例えば下部プレート１３８（図５に示されている）を移動させて、上部プレート、例えば上部プレート１４０（図５に示されている）と重なりかつ接触するようにすること１０１８を含む。方法１０１０は、下部プレート／上部プレートを重なった位置に移動させてスイッチギヤの電気接点を露出することを含む。回路遮断器は、スイッチギヤの運転状態時にスイッチギヤに連結される１０２０。
【００４２】
方法１０１０は、回路遮断器を電気接点から切り離し、回路遮断器をスイッチギヤから除去すること１０２２をさらに含む。リンケージアセンブリは、回路遮断器の除去に応答して、シャッタアセンブリを第２の位置に移動させる。例示的な実施形態では、方法１０１０は、下部プレート／上部プレートを重なった位置から第２の位置１６（図４に示されている）などの第２の位置に移動させてスイッチギヤ１０などのスイッチギヤの電気接点を覆うこと１０２４を含む。第２の位置では、シャッタアセンブリは、スイッチギヤの電気接点へのアクセスを阻止する。
【００４３】
本明細書に記載されている諸実施形態はスイッチギヤ用の保護装置を提供する。開示される諸寸法は、開示される諸寸法の間のすべての部分的な範囲を含む。上記寸法は、スイッチギヤのハウジングのサイズを縮小するのを容易にする。保護装置は、スイッチギヤの新規製造または既存のスイッチギヤとの一体化に使用されうる。一実施形態では、保護装置は、スイッチギヤに沿って移動するように構成された重なりシャッタを具備する。重なりシャッタは、スイッチギヤの電気接点を露出するのを容易にする第１の位置と電気接点へのアクセスを阻止するのを容易にする第２の位置との間を往復運動する。重なりシャッタは、いかなる充電部へのアクセスをも阻止してアーク放電を最小限に抑えるかまたはなくすのを容易にするより効率的かつ効果的なシャッタ設計を提供する。さらに、重なりシャッタはスイッチギヤハウジングのサイズを縮小する。
【００４４】
本明細書に記載されているシステムの技術的効果は、重なりシャッタが、スイッチギヤの電気接点を露出するのを容易にする第１の位置と電気接点へのアクセスを阻止するのを容易にする第２の位置との間を往復運動することである。重なりシャッタのもう１つの技術的効果は、充電部へのアクセスを最小限に抑えるかまたは阻止してスイッチギヤハウジングのサイズを縮小しながらアーク放電を最小限に抑えるかまたはなくすのを容易にするさらなるシャッタ設計を提供する。
【００４５】
スイッチギヤへのアクセスを阻止する保護装置および方法の例示的な諸実施形態は詳細に上述されている。保護装置および方法は、本明細書に記載されている特定の実施形態に限定されるものではなく、むしろ、保護装置および／またはスイッチギヤの構成要素ならびに／あるいは方法のステップは、本明細書に記載されている他の構成要素および／またはステップから独立して別々に利用されうる。例えば、保護装置および方法は、他の電力システムまたは方法と組み合わせて使用されてもよく、本明細書に記載されている電気システムだけで実施することに限定されるものではない。むしろ、例示的な諸実施形態は、他の多くの電気応用例に関連して実施されかつ利用されうる。
【００４６】
本発明の様々な実施形態の特定の特徴がいくつかの図面に示されうるが、これは便宜上にすぎない。本発明の原理によれば、一図面のいかなる特徴も、他の図面のいかなる特徴と組み合わせて参照されかつ／または特許請求されうる。
【００４７】
本明細書では、最良の形態を含めて本発明を開示するように、また、当業者が、任意の層またはシステムを製作および使用すること、ならびに任意の組み込まれている方法を実行することを含めて本発明を実施することができるように、実施例を使用している。本発明の特許可能な範囲は、特許請求の範囲によって定義され、当業者が想到する他の実施例を含むことがある。そのような他の実施例は、その実施例が特許請求の範囲の文言と異なっていない構造要素を有する場合、またはその実施例が特許請求の範囲の文言と非実質的に異なる同等の構造要素を含む場合に、特許請求の範囲内にあると意図される。
【符号の説明】
【００４８】
１０  スイッチギヤ
１２  シャッタアセンブリ
１４  第１の位置
１６  第２の位置
１８  ハウジング
２０  上部
２２  下部
２４  側壁
２６  後壁
２８  空洞
３０  内側
３２  上端部
３４  下端部
３６  側面
３８  段積み構成
４０  端子開口
Ｒ１  下の端子開口列
Ｒ２  上の端子開口列
４２  回路遮断器
４４  ハウジング
４６  前側
４８  後側
５０  側壁
５２  車輪
５４  ブッシング
５６  電気接点（回路遮断器）
５８  電気接点（スイッチギヤ）
６０  絶縁チューブ
６２  電力導体
６４  トラックアセンブリ
６６  レール
６８  リンケージアセンブリ
７０  第１のブラケットアセンブリ
７２  第２のブラケットアセンブリ
７４  アクチュエータ部材
７６  偏倚部材
７８  リンケージアーム
８０  ピボットアーム
８２  ピボットピン
８４  第１の駆動アーム
８６  端部
８８  駆動ピン
９０  リンケージアーム
９２  ピボットアーム
９４  ピボットピン
９６  第２の駆動アーム
９７  端部
９８  ピン開口
１００  ガイドアセンブリ
１０２  ガイド部材
１０４  第１の端部
１０６  第２の端部
１０８  ガイド本体
１１０  支持体
１１２  支持開口
１１４  部分
１１６  第１のシャッタ
１１８  第２のシャッタ
１２０  プレート
１２２  前側
１２６  フランジ（第１のシャッタ）
１２８  第１の端部
１３０  第２の端部
１３２  側壁
１３４  ガイド開口
１３６  ピン開口
１３８  下部プレート（第２のシャッタ）
１４０  上部プレート（第２のシャッタ）
１４１  前側
１４２  上部フランジ
１４４  第１の端部
１４６  第２の端部
１４８  側壁
１５０  スロット
１５２  軸線
１５４  支持アーム
１５６  前側
１５８  側面
１６０  後側
１６２  下部フランジ
１６４  第１の端部
１６６  第２の端部
１６８  側壁
１７０  スロットピン
１７２  シャッタアセンブリ
１７４  第１のシャッタ
１７６  第２のシャッタ
１７８  下部プレート
１８０  上部プレート
１８２  下部プレート
１８４  上部プレート
１０１２  回路遮断器を受容する
１０１４  リンケージアセンブリを移動させる
１０１６  シャッタアセンブリを開位置に移動させる
１０１８  シャッタアセンブリの下部プレートを移動させて上部プレートと重なりかつ接触するようにする
１０２０  回路遮断器をスイッチギヤに連結する
１０２２  回路遮断器をスイッチギヤから切り離す
１０２４  下部プレートおよび上部プレートを重なった位置から閉位置に移動させる
【図１】
0005898326.tif 000002
【図２】
0005898326.tif 000003
【図３】
0005898326.tif 000004
【図４】
0005898326.tif 000005
【図５】
0005898326.tif 000006
【図６】
0005898326.tif 000007
【図７】
0005898326.tif 000008
【図８】
0005898326.tif 000009
【図９】
0005898326.tif 000010
【図１０】
0005898326.tif 000011